【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
折り畳み状態と拡張状態との間で移動可能である拡張可能な本体（１１２、２４６、６１０）と、
前記拡張可能な本体（１１２、２４６、６１０）に取り外し可能に接続され、機械（２２０、５０２）の環状ギャップ（２２０、５２０）内の対向面（２３４、２３６）に係合するように構成された複数の多方向牽引モジュール（１１４、１１６、１１８、２４０、２４２、２４４、６６０、６６２、６６４、８００、１３１２、１３１４、１３１６、２３０４）と、
前記拡張可能な本体（１１２、２４６、６１０）に取り外し可能に接続され、前記複数の多方向牽引モジュール（１１４、１１６、１１８、２４０、２４２、２４４、６６０、６６２、６６４、８００、１３１２、１３１４、１３１６、２３０４）によって位置決めされた複数のセンサモジュール（１２０、１２２、６９２、６９４、６９６、６９８、１３２０、１３２２、１３２４、１３２６、１４００、２３１０、２３２０、２３３０）であって、前記機械（２２０、５０２）の前記環状ギャップ（２２０、５２０）を検査するための複数のセンサタイプを含む複数のセンサモジュール（１２０、１２２、６９２、６９４、６９６、６９８、１３２０、１３２２、１３２４、１３２６、１４００、２３１０、２３２０、２３３０）と、
を含むロボットクローラ（１１０、２１０、５１０、６００、１３１０、２１１０）。
【請求項２】
前記複数の多方向牽引モジュール（１１４、１１６、１１８、２４０、２４２、２４４、６６０、６６２、６６４、８００、１３１２、１３１４、１３１６、２３０４）は、回転可能なフレーム内に配置された牽引ローラを含み、前記回転可能なフレームは、軸方向移動のための第１の位置と半径方向移動のための第２の位置との間で制御可能に移動する、請求項１に記載のロボットクローラ（１１０、２１０、５１０、６００、１３１０、２１１０）。
【請求項３】
前記複数の多方向牽引モジュール（１１４、１１６、１１８、２４０、２４２、２４４、６６０、６６２、６６４、８００、１３１２、１３１４、１３１６、２３０４）は、少なくとも９０度の弧の周りで回転可能であり、前記複数の多方向牽引モジュール（１１４、１１６、１１８、２４０、２４２、２４４、６６０、６６２、６６４、８００、１３１２、１３１４、１３１６、２３０４）の移動方向を９０度の弧に沿った複数の位置に制御可能に位置決めするための位置エンコーダを含む、請求項１に記載のロボットクローラ（１１０、２１０、５１０、６００、１３１０、２１１０）。
【請求項４】
前記複数の多方向牽引モジュール（１１４、１１６、１１８、２４０、２４２、２４４、６６０、６６２、６６４、８００、１３１２、１３１４、１３１６、２３０４）は各々、フラットモードと障害物クリアランスモードとの間で移動可能な一組の位置決め可能なローラ（６７８、６８０、６８２、８３２、８３４、８４０、８４２）を含み、前記一組の位置決め可能なローラ（６７８、６８０、６８２、８３２、８３４、８４０、８４２）の各々は回転軸を有し、前記フラットモードは、前記一組の位置決め可能なローラ（６７８、６８０、６８２、８３２、８３４、８４０、８４２）の各回転軸を第１の平面に整列させ、前記クリアランスモードは、前記一組の位置決め可能なローラ（６７８、６８０、６８２、８３２、８３４、８４０、８４２）の各回転軸を少なくとも２つの異なる平面（８５４、８５６、８５８、８６０）に整列させる、請求項１に記載のロボットクローラ（１１０、２１０、５１０、６００、１３１０、２１１０）。
【請求項５】
前記複数の多方向牽引モジュール（１１４、１１６、１１８、２４０、２４２、２４４、６６０、６６２、６６４、８００、１３１２、１３１４、１３１６、２３０４）は、前記複数の多方向牽引モジュール（１１４、１１６、１１８、２４０、２４２、２４４、６６０、６６２、６６４、８００、１３１２、１３１４、１３１６、２３０４）のうちの少なくとも１つに配置された複数のセンサインターフェース（６８４、６８６、６８８、６９０、１５４０、１８４０、２３１６、２３２６）を含み、前記複数のセンサインターフェース（６８４、６８６、６８８、６９０、１５４０、１８４０、２３１６、２３２６）の各々は、前記複数のセンサモジュール（１２０、１２２、６９２、６９４、６９６、６９８、１３２０、１３２２、１３２４、１３２６、１４００、２３１０、２３２０、２３３０）のうちの少なくとも１つのための装着インターフェース（１４１２、１５１２、１７１２、１８１２、１９１２、２３１４、２３２４、２３３４）およびセンサデータチャネルを提供する、請求項１に記載のロボットクローラ（１１０、２１０、５１０、６００、１３１０、２１１０）。
【請求項６】
前記折り畳み状態は、前記機械（２２０、５０２）の前記環状ギャップ（２２０、５２０）の入口ギャップ幅（２３２）よりも小さい第１の厚さで前記ロボットクローラ（１１０、２１０、５１０、６００、１３１０、２１１０）を位置決めし、前記拡張状態は、前記入口ギャップ幅（２３２）よりも大きく、前記機械（２２０、５０２）の前記環状ギャップ（２２０、５２０）の作業ギャップ幅以下の第２の厚さで前記ロボットクローラ（１１０、２１０、５１０、６００、１３１０、２１１０）を位置決めし、前記機械（２２０、５０２）は、発電機、電動モータ、またはターボ機械から選択される、請求項１に記載のロボットクローラ（１１０、２１０、５１０、６００、１３１０、２１１０）。
【請求項７】
前記ロボットクローラ（１１０、２１０、５１０、６００、１３１０、２１１０）からの制御信号なしに、前記ロボットクローラ（１１０、２１０、５１０、６００、１３１０、２１１０）を前記拡張状態から前記折り畳み状態に変換するように構成された少なくとも１つの手動緊急解放部（８９０、８９２）をさらに含む、請求項１に記載のロボットクローラ（１１０、２１０、５１０、６００、１３１０、２１１０）。
【請求項８】
前記複数の多方向牽引モジュール（１１４、１１６、１１８、２４０、２４２、２４４、６６０、６６２、６６４、８００、１３１２、１３１４、１３１６、２３０４）は、前部牽引モジュール（１１４、２４２、６６０、６６２、６６４、８００、１３１２、２３０４）、後部牽引モジュール（１１８、２４２、６６０、６６２、６６４、８００、１３１６、２３０４）、および中間牽引モジュール（１１６、２４２、６６０、６６２、６６４、８００、１３１４、２３０４）を含み、前記拡張可能な本体（１１２、２４６、６１０）は、
前記前部牽引モジュール（１１４、２４２、６６０、６６２、６６４、８００、１３１２、２３０４）を前記後部牽引モジュール（１１８、２４２、６６０、６６２、６６４、８００、１３１６、２３０４）に対して第１の方向に動かすための少なくとも１つのリニアアクチュエータ（６５４、６５６、８２２）と、
前記前部牽引モジュール（１１４、２４２、６６０、６６２、６６４、８００、１３１２、２３０４）と前記中間牽引モジュール（１１６、２４２、６６０、６６２、６６４、８００、１３１４、２３０４）との間、および前記中間牽引モジュール（１１６、２４２、６６０、６６２、６６４、８００、１３１４、２３０４）と前記後部牽引モジュール（１１８、２４２、６６０、６６２、６６４、８００、１３１６、２３０４）との間の少なくとも１つの関節リンク部材（６３０、６３２）であって、前記少なくとも１つのリニアアクチュエータ（６５４、６５６、８２２）が前記後部牽引モジュール（１１８、２４２、６６０、６６２、６６４、８００、１３１６、２３０４）に対して前記前部牽引モジュール（１１４、２４２、６６０、６６２、６６４、８００、１３１２、２３０４）を動かすときに、前記第１の方向に垂直な第２の方向に前記中間牽引モジュール（１１６、２４２、６６０、６６２、６６４、８００、１３１４、２３０４）を動かすための、少なくとも１つの関節リンク部材（６３０、６３２）と、
を含む、請求項１に記載のロボットクローラ（１１０、２１０、５１０、６００、１３１０、２１１０）。
【請求項９】
前記拡張可能な本体（１１２、２４６、６１０）は、前記複数の多方向牽引モジュール（１１４、１１６、１１８、２４０、２４２、２４４、６６０、６６２、６６４、８００、１３１２、１３１４、１３１６、２３０４）を前記折り畳み状態の平面（８５４、８５６、８５８、８６０）内に位置決めし、前記拡張可能な本体（１１２、２４６、６１０）は、前記環状ギャップ（２２０、５２０）の湾曲と相補的な円弧形状を有する、請求項１に記載のロボットクローラ（１１０、２１０、５１０、６００、１３１０、２１１０）。
【請求項１０】
前記複数のセンサモジュール（１２０、１２２、６９２、６９４、６９６、６９８、１３２０、１３２２、１３２４、１３２６、１４００、２３１０、２３２０、２３３０）は、ナビゲーションセンサ、目視検査センサ、構造検査センサ、または電気試験センサから選択される複数のセンサタイプを含む、請求項１に記載のロボットクローラ（１１０、２１０、５１０、６００、１３１０、２１１０）。